(57)【要約】【課題】音声や映像を出力する出力装置において、操作しやすい位置に操作部材を配置する。【解決手段】十字キー５は、ヘッドホーン１の装着時において、人間の右側に位置し、かつヘッドホーン１の後側に設けられている。十字キー５の上下の操作部は、音量の増加、減少を指示するものであり、左右の操作部は、演奏及び巻き戻しを意味するものである。すなわち、十字キー５が、人間の右側に位置しているので、中央部に位置しているよりも、操作がし易い。十字キー５を人間の左側に位置するように左耳用の音声出力部２に配置してもよい。又、この十字キー５においては、左右方向の操作部が、通常の操作部における左右方向の操作部と同じ機能を有するように配置されているので、使用者は、手の触覚だけで、演奏及び巻き戻しの操作を間違いなく行うことができる。【選択図】  図１
2008035206.tif 000002
【特許請求の範囲】
【請求項１】
頭部に装着して、音声と映像の少なくとも一方を出力する出力装置であって、当該出力装置は、当該出力装置、又は当該出力装置に有線又は無線で接続された外部機器を操作する操作部材を持ち、前記操作部材は、当該出力装置の使用時において使用者の左側又は右側に位置し、かつ当該出力装置の前側又は後側に位置するように当該出力装置に取り付けられ、前記操作部材は少なくとも使用者の左及び右を指示する機能を有することを特徴とする出力装置。
【請求項２】
頭部に装着して、音声と映像の少なくとも一方を出力する出力装置であって、当該出力装置は、当該出力装置、又は当該出力装置に有線又は無線で接続された外部機器を操作する操作部材を持ち、前記操作部材は、当該出力装置の使用時において使用者の左側又は右側に位置し、かつ当該出力装置の前側又は後側に位置するように当該出力装置に取り付けられ、前記操作部材は少なくとも回転を指示する機能を有することを特徴とする出力装置。
【請求項３】
頭部に装着して、使用者の片方の目に映像を投影することにより表示する映像出力機能を有する出力装置であって、当該出力装置は、当該出力装置、又は当該出力装置に有線又は無線で接続された外部機器を操作する操作部材を持ち、当該出力装置は、使用者に映像を出力する目を切り替える機能を持ち、かつ、前記操作部材を、当該出力装置の前方、及び後方に配置できるように切り替える切替機能を持つことを特徴とする出力装置。
【請求項４】
請求項３に記載の出力装置であって、前記操作部材は、当該出力装置を頭部に装着した状態において鉛直方向を軸として回動する回動部材上に配置されていることを特徴とする出力装置。
【請求項５】
請求項３に記載の出力装置であって、前記操作部材は、当該出力装置を頭部に装着した状態において鉛直方向と前後方向の二つを軸として回動する回動部材上に配置されていることを特徴とする出力装置。
【請求項６】
請求項５に記載の出力装置であって、当該出力装置は音声出力機能を持ち、前記音声出力機能を実現する音声出力部材は、前記操作部材と同じ構造物内に配置されていることを特徴とする出力装置。
【請求項７】
請求項３に記載の出力装置であって、前記操作部材は、当該出力装置を頭部に装着した状態における左右方向を軸として回動する回動部材上に配置されていることを特徴とする出力装置。
【請求項８】
請求項７に記載の出力装置であって、当該出力装置は音声出力機能を持ち、前記音声出力機能を実現する音声出力部材は、前記操作部材と同じ構造物内に配置されていることを特徴とする出力装置。
【請求項９】
請求項４から請求項８のうちいずれか１項に記載の出力装置であって、前記操作部材が配置されている回動部材の回転角に応じて、表示する映像の上下左右を入れ替える機能を有することを特徴とする出力装置。
【請求項１０】
請求項４から請求項９のうちいずれか１項に記載の出力装置であって、前記出力装置は左右の耳に音声を出力する音声出力装置を持ち、前記操作部材が配置されている回動部材の回転角に応じて、左右の音声出力装置に出力する音声を入れ替える機能を有することを特徴とする出力装置。
【請求項１１】
請求項４から請求項１０のうちいずれか１項に記載の出力装置であって、前記操作部材が配置されている回動部材の回転角に応じて、出力装置を頭部に装着する方向を表示する機能を持つことを特徴とする出力装置。
【請求項１２】
請求項４から請求項１１のうちいずれか１項に記載の出力装置であって、前記回動部材は、通常使用する位置において固定される固定機構を持つことを特徴とする出力装置。
【請求項１３】
請求項４から請求項１２のうちいずれか１項に記載の出力装置であって、前記回動部材が通常使用する位置にない場合は、使用者に警告を発する警告発生機能を持つことを特徴とする出力装置。
【請求項１４】
請求項４から請求項１３のうちいずれか１項に記載の出力装置であって、当該出力装置は、外部に信号を出力するための出力端子、外部から信号を入力するための入力端子、当該出力装置で出力するための情報が記録された記録メディアを接続するための接続端子の少なくとも一つを持ち、前記入力端子、前記出力端子、前記接続端子は、前記操作部材を有する回動部材とは別の構造物内に配置されていることを特徴とする出力装置。
【発明の詳細な説明】
【技術分野】
【０００１】
本発明は、音声信号や映像信号を出力する出力装置に関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々提案され、ヘッドマウントディスプレイと呼ばれている。このようなヘッドマウントディスプレイの例は、例えばＷＯ２００４／０６１５１９Ａ１公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。このようなヘッドマウントディスプレイは、通常は、映像を表示する表示部と音声を出力するヘッドホーンとを有している。
【特許文献１】ＷＯ２００４／０６１５１９Ａ１公報
【非特許文献１】http://www.victor.co.jp/audio_w/dap/xa-al55/
【発明の開示】
【発明が解決しようとする課題】
【０００４】
目に映像を直接表示するヘッドマウントディスプレイでは、視界の一部が遮られるため、ユーザが入力するボタンなどの操作部材の位置を確認するのが難しいという問題があった。また操作部材をケーブルや無線で接続されたコントローラに配置した場合、ケーブルがじゃま、コントローラを紛失する、といった問題が発生するため、ヘッドマウントディスプレイ本体に操作部材を配置することが望ましいが、その場合、使用者は操作部材の位置が一切見えないという問題があった。操作部材はできる限り自然に使用者が操作できることが望まれる。
【０００５】
映像や音声を操作するときに、各種ＡＶプレーヤのコントローラがそうであるように、縦及び横の動きを意識して操作することが多い。たとえばボリュームを操作する場合は上下、早送り/巻き戻し操作をする場合は左右の動きをイメージする。そのためその入力デバイスとして、上下左右の入力ができる十字キーやジョイスティックなどがよく用いられる。 そのようなデバイスをヘッドマウントディスプレイやヘッドホーンに取り付ける場合、スペースの都合や触り易さなどの点から、ヘッドホーンのスピーカ部に取り付けることが多い。たとえば以下のウェブサイトに表示されている製品ではヘッドホーンの側面にスイッチを取り付けている。
【０００６】
http://www.victor.co.jp/audio_w/dap/xa-al55/（非特許文献１）
しかしこの場合スイッチを上下及び前後に配置する必要があるが、前後に配置されたスイッチをユーザが操作した場合、前/後がそれぞれ左/右を意味するのか右/左を意味するのかとまどうという問題があった。
【０００７】
本発明はこのような事情に鑑みてなされたもので、音声や映像を出力する出力装置において、操作しやすい位置に操作部材を配置することを課題とする。
【課題を解決するための手段】
【０００８】
前記課題を解決するための第１の手段は、頭部に装着して、音声と映像の少なくとも一方を出力する出力装置であって、当該出力装置は、当該出力装置、又は当該出力装置に有線又は無線で接続された外部機器を操作する操作部材を持ち、前記操作部材は、当該出力装置の使用時において使用者の左側又は右側に位置し、かつ当該出力装置の前側又は後側に位置するように当該出力装置に取り付けられ、前記操作部材は少なくとも使用者の左及び右を指示する機能を有することを特徴とする出力装置である。
【０００９】
前記課題を解決するための第２の手段は、頭部に装着して、音声と映像の少なくとも一方を出力する出力装置であって、当該出力装置は、当該出力装置、又は当該出力装置に有線又は無線で接続された外部機器を操作する操作部材を持ち、前記操作部材は、当該出力装置の使用時において使用者の左側又は右側に位置し、かつ当該出力装置の前側又は後側に位置するように当該出力装置に取り付けられ、前記操作部材は少なくとも回転を指示する機能を有することを特徴とする出力装置である。
【００１０】
前記課題を解決するための第３の手段は、頭部に装着して、使用者の片方の目に映像を投影することにより表示する映像出力機能を有する出力装置であって、当該出力装置は、当該出力装置、又は当該出力装置に有線又は無線で接続された外部機器を操作する操作部材を持ち、当該出力装置は、使用者に映像を出力する目を切り替える機能を持ち、かつ、前記操作部材を、当該出力装置の前方、及び後方に配置できるように切り替える切替機能を持つことを特徴とする出力装置である。
【００１１】
前記課題を解決するための第４の手段は、前記第３の手段であって、前記操作部材は、当該出力装置を頭部に装着した状態において鉛直方向を軸として回動する回動部材上に配置されていることを特徴とするものである。
【００１２】
前記課題を解決するための第５の手段は、前記第３の手段であって、前記操作部材は、当該出力装置を頭部に装着した状態において鉛直方向と前後方向の二つを軸として回動する回動部材上に配置されていることを特徴とするものである。
【００１３】
前記課題を解決するための第６の手段は、前記第５の手段であって、当該出力装置は音声出力機能を持ち、前記音声出力機能を実現する音声出力部材は、前記操作部材と同じ構造物内に配置されていることを特徴とするものである。
【００１４】
前記課題を解決するための第７の手段は、前記第３の手段であって、前記操作部材は、当該出力装置を頭部に装着した状態における左右方向を軸として回動する回動部材上に配置されていることを特徴とするものである。
【００１５】
前記課題を解決するための第８の手段は、前記第７の手段であって、当該出力装置は音声出力機能を持ち、前記音声出力機能を実現する音声出力部材は、前記操作部材と同じ構造物内に配置されていることを特徴とするものである。
【００１６】
前記課題を解決するための第９の手段は、前記第４の手段から第８の手段のいずれかであって、前記操作部材が配置されている回動部材の回転角に応じて、表示する映像の上下左右を入れ替える機能を有することを特徴とするものである。
【００１７】
前記課題を解決するための第１０の手段は、前記第４の手段から第９の手段のいずれかであって、前記出力装置は左右の耳に音声を出力する音声出力装置を持ち、前記操作部材が配置されている回動部材の回転角に応じて、左右の音声出力装置に出力する音声を入れ替える機能を有することを特徴とするものである。
【００１８】
前記課題を解決するための第１１の手段は、前記第４の手段から第１０の手段のいずれかであって、前記操作部材が配置されている回動部材の回転角に応じて、出力装置を頭部に装着する方向を表示する機能を持つことを特徴とするものである。
【００１９】
前記課題を解決するための第１２の手段は、前記第４の手段から第１１の手段のいずれかであって、前記回動部材は、通常使用する位置において固定される固定機構を持つことを特徴とするものである。
【００２０】
前記課題を解決するための第１３の手段は、前記第４の手段から第１２の手段のいずれかであって、前記回動部材が通常使用する位置にない場合は、使用者に警告を発する警告発生機能を持つことを特徴とするものである。
【００２１】
前記課題を解決するための第１４の手段は、前記第４の手段から第１３の手段のいずれかであって、当該出力装置は、外部に信号を出力するための出力端子、外部から信号を入力するための入力端子、当該出力装置で出力するための情報が記録された記録メディアを接続するための接続端子の少なくとも一つを持ち、前記入力端子、前記出力端子、前記接続端子は、前記操作部材を有する回動部材とは別の構造物内に配置されていることを特徴とするものである。
【発明の効果】
【００２２】
本発明によれば、音声や映像を出力する出力装置において、操作しやすい位置に操作部材を配置することができる。
【発明を実施するための最良の形態】
【００２３】
以下、本発明の実施の形態の例を、図を用いて説明する。図１は、本発明の第１の実施の形態であるヘッドホーンの概要を示す図であり、（ａ）は後面図、（ｂ）は側面図である。ヘッドホーン１は、２つの音声出力部２、３を有し、これらは連結部４で連結されている。音声出力部２、３中には、音声出力部材であるスピーカが収納されている。このうち音声出力部３には、操作部材である十字キー５が設けられている。
【００２４】
十字キー５は、ヘッドホーン１の装着時において、人間の右側に位置し、かつヘッドホーン１の後側に設けられている。十字キー５の上下の操作部は、音量の増加、減少を指示するものであり、左右の操作部は、演奏及び巻き戻しを指示するものである。すなわち、十字キー５が、人間の右側に位置しているので、中央部に位置しているよりも、操作がし易い。十字キー５を人間の左側に位置するように左耳用の音声出力部２に配置してもよい。又、この十字キー５においては、左右方向の操作部が、通常の操作部における左右方向の操作部と同じ機能を有するように配置されているので、使用者は、手の触覚だけで、演奏及び巻き戻しの操作を間違いなく行うことができる。十字キー５を音声出力部３又は音声出力部２の前側に配置しても同様の効果が得られる。
【００２５】
図２は、本発明の第２の実施の形態であるヘッドホーンの概要を示す図であり、（ａ）は後面図、（ｂ）は側面図である。以下の図において、前出の図に示された構成要素と同じ構成要素には、同じ符号を付してその説明を省略する。
【００２６】
図２に示す実施の形態においては、操作部材が回転ダイアル６であるところが、図１に示す実施の形態と異なっているのみである。操作部材が回転ダイアル６の場合も、使用時における使用者の左側又は右側に配置すると操作がし易く、又、音声出力部２、３の前側又は後側に配置すると、どちらの回転方向が時計回りで、どちらの回転方向が反時計回りかを、使用者が認識し易く、操作性が良い。特に音声出力部２、３の後側に配置すると、実際の時計回り、反時計回りと一致するような感覚が得られ、より自然に操作が可能である。
【００２７】
なお、図２では、操作部材として回転ダイアルのみが示されているが、操作部材を、回転ダイアルと左右のスイッチを組み合わせたもの等としてもよい。
【００２８】
図３は、本発明の第３の実施の形態であるヘッドホーンの概要を示す図であり、（ａ）は側面図、（ｂ）は平面図である。この実施の形態においては、音声出力部３に操作部材である十字キー５が取り付けられているが、十字キー５は、スライド板７の上に取り付けられており、スライド板７が半円柱状の支持部材８に沿って、装着時の前後にスライドできるようになっている。
【００２９】
単眼のヘッドマウントディスプレイの場合、ユーザによって左目を使用するのか右目を使用するのか異なるという問題がある。この問題は、映像表示部を前後方向に沿って180°回動させ、左右入れ替えて装着することで解決できる。しかし操作部材を前側又は後側に配置すると、左右入れ替えた場合に操作部材の前後が入れ替わってしまうという問題がある。
【００３０】
図３に示すものは、このような問題点を解決するもので、例えばヘッドマウントディスプレイの左右を入れ替えて装着し、これに伴って、十字キー５の取り付け位置の前後が逆転した場合に、スライド板７を支持部材８に沿ってスライドさせることにより、十字キー５の位置の前後を元の位置に戻すことができる。
【００３１】
図３（ａ）において、スライド板７によって隠れていない部分にＲの文字が表示されている。これは、今、このヘッドマウントディスプレイが、右眼用として使用されていることを示している。この状態からスライド板７を図３(ａ)の右側（図３（ｂ）の上側）にスライドさせると、スライド板７によりＲの文字が隠され、今までスライド板７によって隠されていたＬの文字が現れて、このヘッドマウントディスプレイが左眼用として使用されるようになったことを示す。これにより、使用者は、ヘッドマウントディスプレイの装着の左右を間違えることなく、ヘッドマウントディスプレイを装着することができる。又、スライド板７の動きをセンサにより検出し、それによって、ヘッドマウントディスプレイが左眼用となっているか右眼用となっているかを認識し、音声の左右や映像の上下左右を入れ替えるようにしてもよい。
【００３２】
図４は、本発明の第４  の実施の形態であるヘッドホーンの概要を示す図であり、（ａ）は側面図、（ｂ）は平面図である。この実施の形態においては、音声出力部３に操作部材である十字キー５が取り付けられているが、十字キー５は、回動部材９の上に取り付けられており、回動部材９が、音声出力部３の鉛直方向中心軸を回動軸として回動できるようになっている。よって、図４（ａ）に示すような状態から、図４（ｂ）の矢印に示す方向に回動部材９を１８０°回動させれば、十字キー５の取り付け位置の前後が入れ替わって、図３に示した実施の形態と同様の作用効果を奏する。回動部材９の回動位置によって、隠れたり見えたりする位置に、ヘッドマウントディスプレイが左眼用か右眼用かを示す表示を設けたり、回動部材９の回動位置をセンサにより検出して音声や映像を入れ替えるようにしてもよいことも、図３に示す第３の実施の形態と同じである。
【００３３】
図５は、本発明の第５  の実施の形態であるヘッドホーンの概要を示す図であり、（ａ）は後面図、（ｂ）は側面図である。この実施の形態においては、音声出力部３に操作部材である十字キー５が取り付けられているが、連結部４には、音声出力部支持部材１０が回動軸１１を介して取り付けられており、音声出力部支持部材１０に音声出力部３が、回動軸１２を介して取り付けられている。よって、音声出力部３は、ヘッドマウントディスプレイを頭部に装着した状態において、鉛直方向と前後方向の二つを軸として回動可能となっている。従って、ヘッドマウントディスプレイの左右を切り替えたときにでも、十字キー５の向きを切換前の状態に戻すことが可能である。
【００３４】
この例においては、十字キー５が音声出力部３に取り付けられているので、機構が通常のヘッドホーンと同じになり、デザイン的に違和感を無くすことができる。十字キー５によって隠れないところにヘッドマウントディスプレイが左眼用か右眼用かを表示すれば、装着者が迷わずにヘッドマウントディスプレイを装着することができる。又、音声出力部３の回動をセンサによって検出し、それによって、ヘッドマウントディスプレイが左眼用となっているか右眼用となっているかを認識し、音声や映像を入れ替えるようにしてもよい。
【００３５】
図６は、本発明の第６  の実施の形態であるヘッドホーンの概要を示す図であり、（ａ）は後面図、（ｂ）は側面図である。この実施の形態においては、音声出力部３の周囲に回動可能なリング１３が設けられ、このリング１３上に十字キー５が取り付けられている。すなわち、リング１３は、装着時の左右方向を軸として回動可能である。よって、図６の矢印で示すように、このリングを１８０°回動させることにより、十字キー５が設けられている位置の音声出力部３に対する前後を入れ替えることができる。十字キー５によって隠れないところにヘッドマウントディスプレイが左眼用か右眼用かを表示すれば、装着者が迷わずにヘッドマウントディスプレイを装着することができる。又、リング１３の回動をセンサによって検出し、それによって、ヘッドマウントディスプレイが左眼用となっているか右眼用となっているかを認識し、音声や映像を入れ替えるようにしてもよい。
【００３６】
図７は、本発明の第７  の実施の形態であるヘッドホーンの概要を示す図であり、（ａ）は後面図、（ｂ）は側面図である。この実施の形態においては、音声出力部３に操作部材である十字キー５が取り付けられているが、連結部４には、音声出力部支持部材１０が取り付けられており、音声出力部支持部材１０に音声出力部３が、回動軸１４を介して取り付けられている。よって、音声出力部３は、ヘッドマウントディスプレイを頭部に装着した状態において、左右方向を軸として回動可能となっている。よって、ヘッドマウントディスプレイの左右を切り替えたときにでも、十字キー５の向きを切換前の状態に戻すことが可能である。
【００３７】
よって、図７の矢印で示すように、音声出力部３を１８０°回動させることにより、十字キー５が設けられている位置の音声出力部３に対する前後を入れ替えることができる。十字キー５によって隠れないところにヘッドマウントディスプレイが左眼用か右眼用かを表示すれば、装着者が迷わずにヘッドマウントディスプレイを装着することができる。又、音声出力部３の回動をセンサによって検出し、それによって、ヘッドマウントディスプレイが左眼用となっているか右眼用となっているかを認識し、音声や映像を入れ替えるようにしてもよい。
【００３８】
以上説明したように、ヘッドマウントディスプレイが左眼用か右眼用かは、音声出力部３の回動や、十字キー５の位置等により決定できるが、その表示を、十字キー５によって隠したり隠さなかったりする等により機械的に表示してもよいし、音声出力部３の回動や、十字キー５の位置をセンサにより検出し、例えばＬＣＤやＬＥＤ等により表示するようにしてもよい。
【００３９】
又、回動機構は、使用中に不用意に動かないようにロック機構を持つことが望ましい。このロック機構はクリックなどのように、強く回転させることによって外れるような機構でもよい。
【００４０】
又、以上の例において、また回動機構が中途半端な位置にある場合は、ユーザに通知する機構を持たせるようにしてもよい。この通知方法はヘッドホーンで音声出力してもよいし、ヘッドマウントディスプレイの表示画面に表示してもよい。また別途液晶などの表示デバイスで表示してもよいし、ＬＥＤ等を用いてもよい。
【００４１】
又、このような装置では、別途外部からビデオや音声の信号を入力して表示したり、外部の表示機器とつないだり、ＰＣと接続してデータのやりとりを行ったり、あるいはメモリカードなどで再生するコンテンツを転送したりする。これらの接続部がスイッチと共に回動する部位にあると、スイッチの位置によって操作感が変わるため、スイッチと別の部位に配置することが望ましい。
【００４２】
なお、第１、第３、第４、第５、第６、第７の実施の形態においては、操作部材として十字キーを用いているが、回転ダイアルやジョイスティックを用いてもよい。
【図面の簡単な説明】
【００４３】
【図１】本発明の第１の実施の形態であるヘッドホーンの概要を示す図である。
【図２】本発明の第２の実施の形態であるヘッドホーンの概要を示す図である。
【図３】本発明の第３の実施の形態であるヘッドホーンの概要を示す図である。
【図４】本発明の第４の実施の形態であるヘッドホーンの概要を示す図である。
【図５】本発明の第５の実施の形態であるヘッドホーンの概要を示す図である。
【図６】本発明の第６の実施の形態であるヘッドホーンの概要を示す図である。
【図７】本発明の第７の実施の形態であるヘッドホーンの概要を示す図である。
【符号の説明】
【００４４】
１…ヘッドホーン、２…音声出力部、３…音声出力部、４…連結部、５…十字キー、６…回転ダイアル、７…スライド板、８…支持部材、９…回動部材、１０…音声出力部支持部材、１１…回動軸、１２…回動軸、１３…リング、１４…回動軸
【図１】
2008035206.tif 000003
【図２】
2008035206.tif 000004
【図３】
2008035206.tif 000005
【図４】
2008035206.tif 000006
【図５】
2008035206.tif 000007
【図６】
2008035206.tif 000008
【図７】
2008035206.tif 000009